Podtech/llm-jp-corpus-v4-ja_patent huggingface dataset:
(57)【要約】      （修正有）【課題】  治療部の形状に適した大きさの生体再生材料を提供する。【解決手段】  人体に対して無害な生分解性樹脂を軟骨・血管・気管・心臓弁・心臓などの成形型などで成形してレーザーにて微細な穴加工して成る生体再生材料や、その他生分解樹脂にレーザーにて微細な穴加工して心臓弁・心臓等の形状に縫い合わせて成形して成る生体再生材料の利用。【選択図】なし【特許請求の範囲】
【請求項１】
生分解性樹脂にレーザーでもって微細な穴加工することを特徴とする軟骨・血管・気管・心臓弁・心臓などの生体再生材料。
【発明の詳細な説明】
【枝術分野】
本発明は、生体再生材料に細胞培養をして人体の軟骨・血管・気管・心臓弁・心臓などを製造する生体再生材料に関するものである。
背景枝術
従来の生体再生材料は、極細い糸を布状に織つた生分解性樹脂を生体再生材料として使用している。この生体再生材料は、極細い糸の布状であるので細胞を布状の両面に植え付けて細胞培養をしている。
１例によると、軟骨となる細胞を従来の生体再生材料に植付け２ヶ月から６ヶ月間程細胞培養すると生体再生材料が無くなり、人体の足などの軟骨を製造している。
厚めの軟骨や変形した軟骨を細胞培養する場合は、布状をした生体再生材料を何回か手で折って仁意の厚さや形状にしてい細胞培養して目的とする軟骨を製造している。
発明の開示
発明が解決しようとする課題
解決しようとする問題点は、従来の生体再生材料は極細い糸で布状をしている関係で複雑な形状した軟骨や立体形状をしてしている血管・気管・心臓弁・心臓などの生体再生材料に適していない欠点を有している。
課題を解決するための手段
本発明は、必要とする仁意の形状をした生分解性樹脂に細胞培養しやすくする為にレーザーでもって微細な穴を加工して細胞培養をして成る軟骨・血管・気管・心臓弁・心臓などを製造する目的の生体再生材料を提共することを特徴とする。
発明の効果
本発明は、子供や大人が軟骨・血管・気管・心臓弁・心臓などを病み医療機関でその治療にさいし、治療部の形状に適した大きさの生体再生材料を提供できて、治療を受ける本人の細胞培養を医療機関の指導等により実施し目的とする軟骨・血管・気管・心臓弁・心臓など製造することができる。
よって、治療を受ける本人に適した軟骨・血管・気管・心臓弁・心臓など製造することが出来ので、この社会的効果はかりしれなく大きい。
発明を実施するための最良の形態
人体の軟骨・血管・気管・心臓弁・心臓などの治療する部分の必要とする大きさの成形型等で人体に無害な生分解性樹脂でもって成形加工をして、細胞培養をしやすくする為にレーザーでもって１００ミクロンから１０ミクロン（１００ミクロンから１０ミクロンの穴に限定しない、必要に応じて穴の大きさを決めるのも良い）の大きさの穴加工した生体再生材料に軟骨・血管・気管・心臓弁・心臓になる細胞を付けて細胞培養を実施する。その他に生分解生樹脂にレーザーで上記の穴加工して心臓弁・心臓等の形状に縫い合わせて成形加工した生体再生材料に細胞培養をする。
細胞培養開始後（実施例では約２ヶ月から６ヶ月で生分解生樹脂が無くなる。その他生体再生材料の大きさ等に依り生分解生樹脂の無くなる期間は異なる）軟骨・血管・気管・心臓弁・心臓などの細胞になる生体再生材料を実現した。
実施例
図１は、本発明の軟骨の生体再生材料１実施例で、（１）は正面図で（２）穴２０ミクロンを全面に加工する、（３）は平面図で（２）穴２０ミクロンを全面に加工する、（４）は右側面図で（２）穴２０ミクロンを全面に加工する、（５）は左側面図で（２）穴２０ミクロンを全面に加工する、（６）は下面図で（２）穴２０ミクロンを全面に加工する、（７）は背面図で（２）穴２０ミクロンを全面に加工する、（２）穴２０の間隔は、正図面と背面図・平面図と下図面・右側面図と左側面図に（２）穴２０ミクロンの中心練と（２）穴２０ミクロンの中心線との間隔を４０ミクロンで貫通して加工する。
図２は、血管の生体再生材料で、（１）は正面図で（２）穴２０ミクロンを示す（３）は側面図で（４）は血管外周（５）は血管内部で空間を示す、（４）血管外周に（２）穴２０ミクロンを（４）血管外周に全面に加工する、（６）は（４）の血管外周の一部に設けた断面で（２）穴２０ミクロンを表す、（２）穴２０ミクロンの間隔は、（２）穴２０ミクロンの中心練と（２）穴２０ミクロンの中心線との間隔を４０ミクロンから７０ミクロンで加工する。
気管・心臓弁・心臓は図示しないが、子供や大人の必要とする治療部の形状に適した成形型等で生分解生樹脂を成形加工し、成形加工をした生分解性樹脂の全面に穴２０ミクロンを加工する。穴２０ミクロンの間隔は、穴２０ミクロンの中心線と他の穴２０ミクロンの中心線との間隔を４０ミクロンから７０ミクロンで加工して成る気管・心臓弁。心臓なぞの生体再生材料。
レーザーにて生分解生樹脂に穴加工する（２）穴２０ミクロンと（２）穴２０ミクロンの中線の間隔を４０ミクロンから７０ミクロンに限定しない、必要に応じて間隔を決めるのも良い。
産業上の利用可能性
本発明の生体再生材料を使用する事により、血管・気管・心臓弁・心臓弁・心臓などの身体上の不便を生じたり、日常生活に困っている人々に対し。医療機関の指導等により軟骨や血管・気管・心臓弁・心臓の細胞培養をして治療することが出来る。この産業上の利用可能性は大である。
【図面の簡単な説明】  図１・・軟骨の生体再生材料の実施方法を示した説明図である。
図２・・血管の生体再生材料の実施方法を示した説明図である。
符号の説明
（図１の符号の説明）
１・・正図面
２・・穴２０ミクロン
３・・平面図
４・・右側面図
５・・左側面図
６・・下面図
７・・背面図
（図２の符合の説明）
１・・正図面
２・・穴２０ミクロン
３・・側面図
４・・血管外周
５・・血管内部
６・・血管外周の一部の断面
【図１】
2005211614.tif 000002
【図２】
2005211614.tif 000003
(57)【要約】      （修正有）【課題】寒冷時の就寝中における顔面の肌の乾燥や喉のヒリヒリ感を防ぎ、夏期には蚊に睡眠を害されず、また、風邪を患った際の直接空気による鼻や喉への刺激によって発生する息苦しさを防ぐ、おだやかな就寝保護具を提供する。【解決手段】寝具上かけ布団のえりに接続具を付け、蚊が侵入不可能な細かい網目のレース布を設け、枕部上に立ち上がり器具を設け、レース布を立ち上がり器具にかぶせ、頭部、顔面部に保護空間を設ける。【選択図】図２
2005211619.tif 000002
【特許請求の範囲】
【請求項１】
寝具上かけ布団（１）のえりに（２）接続具を付け、（３）レース布を設け（４）枕部上に立ち上がり器具を設け（３）のレース布を（４）の枕上部の器具にかぶせた頭部、顔面部の保護具。
【発明の詳細な説明】
【発明の詳細な説明】
【技術分野】
【０００１】  この発明は、寝具上かけ布団のえりに接続具を付け、レース布を設け、枕上部に立ち上がり器具を設けレース布をかぶせ、頭部、顔面部の空間を設けた保護具である。
【背景技術】
【０００２】  従来より布団に寝るとき、頭部、顔面部をレース布で保護する習慣はなかった。
【発明が解決しようとする課題】
【０００３】これは次のような欠点があった。
イ、冬の寒冷時、顔面部は冷え冷たい空気呼吸で喉は朝までにヒリヒリ感があった、年齢が進行すると症状は重くなる感があった。
ロ、寒冷時に冷たい空気に直接受けると肌もカサツキ感がある。
ハ、夏期には夜中、蚊に刺され眠りを邪魔される時もあった。
ニ、風邪を患って休んでる時、鼻や喉に直接空気が刺激して息苦しいときがあった。
本発明は、以上の欠点を解決するためになされたものである。
【課題を解決しようとするための手段】
【０００４】  上かけ布団（１）のえりに（２）接続具を付け、（３）レース布を設け（４）枕上部に立ち上がり器具を設け（３）レース布を立ち上がり器具をかぶせ頭部、顔面部に保護空間を設ける。
本発明は以上の構成によりなる保護具である。
【発明を実施するための最良の形態】
【０００５】  以下、本発明の実施の形態を説明する。
イ、蚊が侵入不可能な細かい網目のレース布（４）を布団の上かけえり（１）に（２）接続具で取り付ける。
ロ、立ち上がり器具（４）を枕上部に設けレース布（３）を（４）立ち上がり器具にかぶせる。
発明は以上の構成によりなっている．．
本発明を使用するときは、自分の体温と呼吸する湿度で保湿され、布団の中のこぼれ熱をレース布がおだやかに保温、保湿を保持するため、直接肌が外気にさらされることを防ぐ。
【発明の効果】
【０００６】  本発明を使用することによって、外気による喉のヒリヒリ感や肌の乾きが和らぎ、風邪の時の息苦しさも保湿と保温でおだやかな呼吸に緩和される。
夏には、通気性もあり蚊よけにも効果がある。
【図面の簡単な説明】
【図１】本発明の使用状態を示す斜視図
【図２】本発明の使用状態を示す断面図
【図３】本発明の使用状態を示す正面図
【図４】本発明の立ち上がり器具の正面図
【図５】本発明の立ち上がり器具の平面図
【図６】本発明の立ち上がり器具の斜視図
【図７】本発明の立ち上がり器具の底面図
【図８】本発明に使用するレース布図
【図９】接続図
【符号の説明】
１．上かけ布団
２．接続具
３．レース布
４．立ち上がり器具
【図１】
2005211619.tif 000003
【図２】
2005211619.tif 000004
【図３】
2005211619.tif 000005
【図４】
2005211619.tif 000006
【図５】
2005211619.tif 000007
【図６】
2005211619.tif 000008
【図７】
2005211619.tif 000009
【図８】
2005211619.tif 000010
【図９】
2005211619.tif 000011
(57)【要約】【課題】  調理でまな板を使用する時、食材に食中毒の原因となる菌が繁殖・感染しないように抗菌加工された、まな板表面に密着され覆われているフィルムを剥がして使用する、完全使い捨て無菌・抗菌まな板を提供する。【解決手段】  殺菌処理し、抗菌加工を施したまな板（１）表面に抗菌加工を施したフィルム（２）を設け、フィルム（２）の一隅にフィルム取り口（３）を設け、まな板（１）裏面に滑り止め（４）を設け、調理後に完全に使い捨てるまな板を特徴とする。【選択図】図１
2005211620.tif 000002
【特許請求の範囲】
【請求項１】
殺菌処理し抗菌加工を施し、再利用可能な、薄くて柔軟性のある材質から成型されたまな板（１）表面に、抗菌加工を施し、再利用可能な材質から成型されたフィルム（２）を密着して覆い、フィルム（２）の一隅にフィルム取り口（３）を設け、まな板（１）裏面に滑り止め（４）を設け、調理後に完全に使い捨てるまな板。
【発明の詳細な説明】
【技術分野】
【０００１】  この発明は、通常まな板に繁殖している菌や、調理中における食中毒菌といった黴菌による感染症を防ぐために、まな板表面を殺菌処理し抗菌加工を施し、まな板表面を抗菌加工されたフィルムで覆い、その構造上、使用後に使い捨てることで清潔を保つまな板に関するものである。
【背景技術】
【０００２】  従来の使い捨てまな板は、非常に耐久性に富んでいるため、使い捨てと称していながらも、実際には使い捨てにすることは殆どなく、繰り返し使用し、機能として通常のまな板の単なるスペアの役割になっていた。【０００３】  その結果、通常のまな板と変わらず、洗浄しても包丁跡などに黴菌が侵入・繁殖してしまっていた。
【発明の開示】
【発明が解決しようとする課題】
【０００４】  これは次のような欠点があった。
本来、抗菌・除菌作用というものは、菌が付着してからすぐに消滅するわけではなく、時間の経過と共に徐々に減少していく性質のものである。従って、一枚のまな板で複数の食材を調理する場合、その都度まな板を洗浄したとしても、時間が経過しなければ黴菌は減少せず、異なる食物に黴菌が移る可能性が高くなり、食中毒を起こすなど、人体に害を及ぼす影響が高かった。【０００５】  また、使い捨てと称していながらも、プラスティックやポリプロピレンなどの物質から形成されていることが多いため、その材質の耐久性の強さから消費者が一回で使い捨てることは殆どなく、複数回使用することで、食中毒症状を引き起こす黴菌が繁殖する傾向が著しかった。【０００６】  さらに、一般的に使い捨てまな板などの簡易まな板は一枚ずつ売られていることからも、消費者の観念として、使い捨てにすることは難しかった。
本発明は、以上のような欠点をなくすためになされたものである。
【課題を解決するための手段】
【０００７】  殺菌処理し、抗菌加工を施したまな板（１）表面に抗菌加工を施したフィルム（２）を設け、フィルム（２）にフィルム取り口（３）を設け、まな板（１）裏面にゴムやシリコン製などの材質から出来た滑り止め（４）を設け、尚且つ、調理後に完全に使い捨てるまな板。
本発明は、以上の構成よりなる完全使い捨て無菌・抗菌まな板である。
【発明の効果】
【０００８】  まな板（１）表面のフィルム（２）を剥がすだけで、通常調理に伴う黴菌の心配をする必要なく調理することが出来る。【０００９】  まな板（１）を洗う必要がない。【００１０】  再利用できる材質から作られているため、資源を有効活用することが出来る。
【発明を実施するための最良の形態】
【００１１】  以下、本発明を実施するための最良の状態について説明する。【００１２】  製紙用パルプでまな板（１）を成型する。まな板（１）表面部分を、一般的に広く使用されている台所用品関連の殺菌剤で殺菌処理し、無菌状態にする。無菌状態にしたまな板（１）表面部分を、一般的に広く使用されている台所関連の抗菌剤で抗菌加工を施す。ポリエチレンやプラスティックなどの合成樹脂を使用し、フィルム（２）を成型する。まな板（１）表面に、一般的に広く使用されている台所関連の抗菌剤で抗菌加工を施したフィルム（２）を密着して覆う。抗菌加工を施したフィルム（２）の一隅にフィルム取り口（３）を設ける。まな板（１）裏面にゴムやシリコン製の材質から出来た滑り止め（４）を設ける。【００１３】  本発明は以上のような構造で、これを使用する時は、まな板（１）に密着されたフィルム（２）の一隅に設けられたフィルム取り口（３）を取り剥がした後、流し台やまな板の上に置けば滑り止め（４）によって固定されるので、まな板（１）表面に食材を乗せ、調理を始める。【００１４】  本発明品は、使い捨てという性質上、交換が容易なように、複数枚セットになっている。従って、調理中に食材から出た液汁、特に有害な黴菌の多い肉汁や魚の汁などが、まな板（１）表面に付着した場合でも、引き続き、生で食する野菜や漬物、果物などを調理するならば、そのまな板を捨て、新しいまな板に交換して調理すればいい。
【図面の簡単な説明】
【００１５】
【図１】  本発明の正面図である。
【図２】  本発明の背面図である。
【符号の説明】
【００１６】１  まな板
２  フィルム
３  フィルム取り口
４  滑り止め
【図１】
2005211620.tif 000003
【図２】
2005211620.tif 000004
(57)【要約】【課題】外出時、雨の心配のある時に、突然の雨からフトンや洗濯物を守る透明ビニールシートを提供する。【解決手段】干しているフトンや洗濯物に日光が当るよう透明ビニールシートで覆うものであるが、この際、端部に型崩れ防止効果も兼ねたオモリと、固定用ヒモを取りつけ可能な穴を付け、風でビニールシートが舞わないようする。【選択図】図１
2005211607.tif 000002
【特許請求の範囲】
【請求項１】
ベランダや屋外に干してあるフトンや洗濯物について、突然の雨にも濡れることのないようかぶせるシート。
【発明の詳細な説明】
【発明の詳細な説明】
【技術分野】
【０００１】本発明は、外出時に干しているフトンや洗濯物が突然の雨で濡れないように覆う、固定可能な透明ビニールシートである。
【背景技術】
【０００２】従来は、外出時に雨の降る心配のある時は、フトンや洗濯物を干せなかった。
【課題を解決するための手段】
【０００３】干しているフトンや洗濯物に日光が当るよう透明ビニールシートで覆うものであるが、この際、端部に型崩れ防止効果も兼ねたオモリと、固定用ヒモを取りつけ可能な穴を付け、風でビニールシートが舞わないようする。
【発明の効果】
【０００４】外出時、雨の心配のある時に、このシートをかぶせることにより、突然の雨からフトンや洗濯物を守ることが出来る。
【図面の簡単な説明】
【図１】  本発明の正面図である。
【符号の説明】
１  透明ビニールシート本体
２  型崩れ防止を兼ねたオモリ
３  固定用のヒモをとりつける穴
【図１】
2005211607.tif 000003
(57)【要約】【課題】    火の上で簡単に肉を焼くことが出来る調理器具を提供する。【解決手段】上段に器具の洗浄時に取り外すことの出来る肉を置く網、下段に火力を肉に伝え且つ脂を受ける皿を配置し、取っ手を付ける。【選択図】    図１
2005211606.tif 000002
【特許請求の範囲】
【請求項１】
火の上に載せるだけで、簡単に肉を焼くことが出来る構造。
【発明の詳細な説明】
【発明の詳細な説明】
【技術分野】
【０００１】本発明は、火の上に脂を受ける皿と肉を置く網を置くことにより、簡単に肉を焼くことが出来る調理器具である。
【背景技術】
【０００２】従来は、家庭において肉を焼く時、ホットプレートやフライパンを使用していたが、肉から出る脂が多い場合に、焼いた肉に脂が付着して味を落としていた。また肉を焼く器具自体が大きいため、家庭で簡単に焼肉をすることが出来なかった。
【課題を解決するための手段】
【０００３】上段に肉を置く網、下段に小さな穴の空いていることで火力を肉に伝え且つ肉から出る脂を受ける皿を配置し、取っ手を付けた。器具の洗浄のために、上段の網を取り外すことも出来る。
【発明の効果】
【０００４】近年増加している１人暮し世帯において、簡単に焼肉を行うことが出来るようになる。
【図面の簡単な説明】
【図１】  本発明を斜め上から見た状態。
【図１】
2005211606.tif 000003
(57)【要約】【課題】  ショルダーバッグを使用時に、肩掛けベルトが肩から滑り落ちなくて、鞄の重さの負担が軽くなり、引ったくり防止にもなる、肩掛けベルトを取り付けたショルダーバッグを提供する。【解決手段】  ショルダーバッグの鞄の吊り金具に、支点移動ベルトをとりつけて、支点移動連結金具に肩掛けベルトと、支点間隔調節ベルトと、支点引き寄せベルトをとりつけて、肩掛けベルトが肩から滑り落ちないようにすることを特徴とする、肩掛けベルトを取り付けたショルダーバッグ。【選択図】  図２
2005211630.tif 000002
【特許請求の範囲】
【請求項１】
ショルダーバッグの、鞄の吊り金具の支点に連結している、肩掛けベルトの支点を、支点移動ベルトと、支点間隔調節ベルトと、支点引き寄せベルトを、支点移動連結金具に連結させることにより、肩掛けベルトの吊り支点の位置を移動させて、その移動した支点に、肩掛けベルトを取り付けることを特徴とする、肩掛けベルトを取り付けたショルダーバッグ。
【発明の詳細な説明】
【技術分野】
【０００１】  本発明は、ショルダーバッグを使用時に、肩掛けベルトが肩から滑らないようにするとともに、肩にかかる負担を軽くするようにした、肩掛けベルトが肩滑りしないショルダーバッグに関するものである。
【背景技術】
【０００２】  従来、ショルダーバッグを、使用していた時、肩に掛けたベルトが滑りやすく、手に下げたり、たすき掛けにしたり、リュックサックのように背負ったりして使用していた、このような使用の仕方では鞄の重さの負担が大きくて、やはり肩に掛けたり、又手に下げたりと苦労をしていた。
【発明の開示】
【発明が解決しようとする課題】
【０００３】  そのために、次のような問題点があった。、
ショルダーバッグの肩掛けベルトを肩に掛けた状態の時、鞄の吊り金具の支点の位置が、肩に掛けた肩掛けベルトの支点の位置から、垂直線上より身体の外側の方向になるために、鞄の荷重は外側斜め下方向になり、肩に掛けた肩掛けベルトには肩から離れる方向に力が働き、手を動かしたり、歩行したりすると、鞄の反動と重さで肩から滑り落ちていた。
又、たすき掛けにすると、肩から滑り落ちることは解決するが、肩掛けベルトの肩に掛けた支点にかかる荷重と、鞄があたる身体の位置を支点にしてかかる荷重が、身体を軸にしてモーメントの荷重になって、身体への負担が大きくなり使用しずらかった。
本発明は、以上の問題点を解決しようとするものである。
【課題を解決するための手段】
【０００４】  鞄の吊り金具にかかる荷重の支点を、支点移動ベルトと、支点間隔調節ベルトと、支点引き寄せベルトを、支点移動連結金具に連結させて移動し、肩にかかる荷重の支点と、鞄の吊り金具にかかる荷重の支点の方向が、身体の内側斜め下方向に移動させることを、特徴とする肩掛けベルトを取り付けたショルダーバッグである。
【発明の効果】
【０００５】  本発明は、ショルダーバッグを使用している時に、肩掛けベルトが肩から滑り落ちることを防ぎ、鞄の荷重が軽くなり使いやすく、又、支点引き寄せベルトによって鞄の引ったくり防止にもなる。
【発明を実施するための最良の形態】
【０００６】以下、本発明の実施の形態を説明する。
（イ）支点移動ベルト（１）は、長さを調節する金具（７）が取り付けてあり、片方には連結金具のフック（８）が定着してあり、鞄（１３）の吊り金具（１１）に係着している、もう片方は、支点移動連結金具（５）に巻き込んで係着している（１２）。
（ロ）支点引き寄せ前ベルト（２）は、長さを調節する金具（７）が取り付けてあり、ベルトの片方には連結金具のフック（８）を定着して、支点移動連結金具（５）に係着している、もう片方には支点引き寄せ後ベルト（３）と挿着する金具（９）が定着してあり、支点引き寄せ後ベルト（３）と挿着する。
（ハ）支点引き寄せ後ベルト（３）は、長さを調節する金具（７）が取り付けてあり、ベルトの片方には連結金具のフック（８）を定着して、支点移動連結金具（５）に係着している。もう片方には支点引き寄せ前ベルト（２）と挿着する金具（１０）が定着してあり、支点引き寄せ前ベルト（２）と挿着する。
（ニ）支点間隔調節ベルト（４）は、長さを調節する金具（７）が取り付けてあり、そのベルトの両端は、支点移動連結金具（５）に巻き込んで係着している（１２）。
（ホ）  肩掛けベルト（６）は、長さを調節する金具（７）が取り付けられてあり、その両端には連結金具のフック（８）を定着して、支点移動連結金具（５）に係着する。
本発明は、以上の構成になっている。
本発明を使用するには、（イ）（ロ）（ハ）（ニ）（ホ）のそれぞれのベルトの長さを、鞄と身体に合わせて調節し、肩掛けベルト（６）を肩に掛けて、支点引き寄せ前ベルト（２）と支点引き寄せ後ベルト（３）で身体にまき、それぞれのベルトに取り付けられた挿着する金具（９）及び（１０）を挿着する。
又、それぞれの鞄やベルトや金具の形状や材料は従来のショルダーバック等に使用されている市販の材料を使用することが出来る。
【図面の簡単な説明】
【０００７】
【図１】本発明の斜視図
【図２】本発明の使用している正面図
【図３】従来の使用している正面図
【符号の説明】
【０００８】  １  支点移動ベルト
２  支点引き寄せ前ベルト
３  支点引き寄せ後ベルト
４  支点間隔調節ベルト
５  支点移動連結金具
６  肩掛けベルト
７  長さ調節金具
８  連結金具のフック
９  前ベルトの挿着する金具
１０  後ベルトの挿着する金具
１１  吊り金具
１２  巻き込んで係着
１３  鞄
【図１】
2005211630.tif 000003
【図２】
2005211630.tif 000004
【図３】
2005211630.tif 000005
(57)【要約】      （修正有）【課題】  現在あるエアーポンプ付中敷は長靴には殆ど効果がなく、長靴内が蒸れて不快であったので長靴内の換気を行い長靴内の蒸れを取除く事が出来るようにする。【解決手段】長靴の底敷にエアーポンプ本体３を取り付け、歩行の際に地面を踏むと体重によりエアーポンプ３の体積が減少しエアーポンプ３内の空気は排気用逆止弁２を通り、排気用ホース５によって長靴内の空気を長靴外へ排気する事で、長靴内の換気を行い長靴内が蒸れないようにする。【選択図】  図１
2005211626.tif 000002
【特許請求の範囲】
【請求項１】
足裏があたる部分にエアーポンプをつける事によって、長靴内の蒸れを長靴外に排出し、長靴内の蒸れを減少させるエアーポンプ。
【発明の詳細な説明】
【発明の詳細な説明】
【発明に属する技術分野】
【０００１】本発明は長靴内の蒸れを取除く為に足裏があたる部分にエアーポンプを取り付け長靴内の空気を長靴外へ排出するようにしたものである。
【背景技術】
【０００２】従来は短靴ではエアーポンプを取り付けた中敷があるが、長靴にはなかった。
【発明が解決しようとする課題】
【０００３】長時間長靴を履いていると足からの発汗で長靴内の湿度が上がり長靴内の蒸れを感じ不快であった。本発明はこの課題を解消する為になされたものである。
【課題を解決する為の手段】
【０００４】歩行の際、地面を踏むと体重により３の体積が減少し３内の空気は２を通り５から長靴外へ排出される。長靴が地面から離れると４の復元力により１から長靴内の空気を吸込み３は膨張する。
【発明を実施するための最良の形態】
【０００５】以下、本発明の実施の形態について説明する。
（イ）３は靴中敷のように長靴底部に設置する。
（ロ）５は６より少し長くし６の上部と固定する
【発明の効果】
【０００６】歩行する事により長靴内の空気の換気を行うため、長靴内の蒸れを取除くことが出来る。
【図面の簡単な説明】
【図１】考案したエアーポンプを長靴に装着した状態の側面の断面図である。
【符号の説明】
１  吸気用逆止弁
２  排気用逆止弁
３  エアーポンプ本体
４  エアーポンプ内蔵物
５  排気用ホース
６  長靴本体
【図１】
2005211626.tif 000003
(57)【要約】      （修正有）【課題】座位姿勢の被介護者を移乗元から移乗先へ座位の姿勢のまま移乗と移動の手段を備えた移乗介護支援車を提供する。    【解決手段】円筒形の部品の軸１８の回転運動とその共有する軸の円周の所定の位置に踵が来るように足置き９を軸として成る部分を、移乗用架台１を構成する移乗用フレーム４の下部の軸部分から固定しその軸と移動用台車１９を構成する固定された軸受けとを回転自在に接合し、移動用台車に保持され回転を助ける一対の回転補助ローラー１７の上に置かれて成る。    【選択図】図１
2005211628.tif 000002
【特許請求の範囲】
【請求項１】
円筒形の部品の軸の回転運動とその共有する軸の円周の所定の位置に踵が来るように足置きを軸と固定して成る部分を、移乗用架台を構成する移乗用フレームの下部の軸部分から固定しその軸と移動用台車を構成する固定された軸受けとを回転自在に接合し、移動用台車に保持され回転を助ける一対の回転補助ローラーの上に置かれて成る移乗介護支援車。
【請求項２】
腹当て、腕置き机、握り棒、停止解除レバー、押しガスばね、差し込みもも当てと伝導アーム、すね当て、足置き、請求項１に記載の機構を移乗用フレームに設けた移乗用架台と前輪に大径自在キャスター後輪に潜り込み用の小径自在キャスター各２個が移動用フレームに取り付けられた移動用台車から成る移乗介護支援車。
【発明の詳細な説明】
【発明の詳細な説明】
【技術分野】
【０００１】  この発明は被介護者をベッド、車いす、便器等からの乗り換えと、それらの間の移動介護を行う、移乗介護支援車に関するものである。
【背景技術】
【０００２】  移乗はもっぱら介護者の介護支援に頼り被介護者の身体を抱き上げたり、着座させたりする方法である。
【発明が解決しようとする課題】
【０００３】  移乗介護において介護者の身体への負担による腰痛、ヘルニア、関節痛などへの不安や被介護者を落としたり骨折や脱臼をなどの事故への心配、被介護者の体重による圧迫や目の高さの変化による不安や身体の不安定さ、移乗介護での手間の節約と負担の軽減と安全の確保である。
【課題をかいけつするための手段】
【０００４】  この発明は座位姿勢の被介護者を移乗元から移乗先へ座位の姿勢のまま移乗と移動の手段を備えた移乗介護支援車を提供することで上記課題を解決する。
【実施例】
【０００５】  図１に示すようにこの発明の移乗介護支援車は移動用台車１９と移乗用架台１とで構成されている。移動用台車１９は移動用フレーム２１に大径自在キャスター２４と小径自在キャスター２５が前後に各々２個づつ取り付けられ自在に移動可能であるので移乗元と移乗先の間の移動に使用する。【０００６】  移乗用架台１の停止用安全ストップアーム２２と押しガスばね１４のための停止解除レバー２７は所定の位置で移動用フレーム４に固定され、同じく押しガスばねの軸受け２３と２６はそれぞれ押しガスばねを介在して伝導アーム５と移乗用フレーム４と連結し差し込みもも当て１０の移動と移乗用架台１の移動に用いられ、軸受け２０が左右の所定の位置で固定されている。【０００７】  移乗用フレーム４の両側下部に固定された円筒形の部品８は軸受け２０と軸１８とで回転自在に接合され、さらに対の回転補助ローラー１７の上に置かれ、その働きを助けられている。【０００８】  円筒形部品８の軸１８の円運動とその共有する軸の円周１６の所定の位置に踵が来るように足置き９を軸１８と固定して得られる円運動により被介護者と座面との摩擦を除き移動する機能を有す。【０００９】  移乗用架台１に付属した握り棒３腕置き机２腹当て６とその端に設けられた押しガスばね１３のための停止解除レバー２８が移乗用フレーム４の上部に、又、差し込みもも当て１０すね当て７足置き９もそれぞれ所定の位置に設置されていて座位の姿勢を保持させながら身体からの圧力を分散させる。介護者は被介護者を抱え込んで停止解除レバー２８を解除し押しガスばね１３の圧力で重心が軸心より先になった所で停止解除レバー２８を停止させ移乗用架台１に移乗させる。【００１０】  移乗先へは移乗用架台１に乗せたまま移動し押しガスばね１３の停止解除レバー２８を解除して被介護者の体重により移乗先の座面へ降ろし停止解除レバー２８を停止にして差し込みもも当て１０を下げてから移乗介護支援車を引き離す。
【発明の効果】
【００１１】  移乗用架台１に付属した足置き９すね当て７差し込みもも当て１０腹当て６腕置き机２握り棒３により被介護者の身体からの圧力の分散と座位姿勢の維持が容易で互いに移乗でふらつくこともなく介護取っ手１１、１２により移乗介護の姿勢維持が容易で、無理な体勢での作業が行われず双方に安心が得られ心身の負担減少が図れる。
【００１２】  介護者の技能と体力に頼る現状から、この発明による脱却で労力と時間を節約し優良な介護環境の実現による介護者への気兼ねの一掃が図られる。
【００１３】  座位の姿勢での移乗先から移乗元までの移乗において被介護者と座面との間に摩擦の抵抗が生じて妨げとなっている。この摩擦の抵抗をこの発明が取り除くので、座位の姿勢しかとれない被介護者もトイレの便器等に移乗出来るので排便の自立に有効であり、それは人格の喪失を食い止め人間の尊厳を与え生きている事の意味を保持できる重要な事柄である。
【００１４】  この発明は移乗介護において足腰の弱った被介護者を立位にせず膝にも圧迫を加えない。
【００１５】  移乗介護において被介護者の目の高さの変化を小さくして高さからの恐怖を与えない。
【００１６】  寝たきりの生活による心の希薄を予防するのに手間のかからない移乗が必要でベッドから車いすへ被介護者を移乗し座位の姿勢に保持させることが大切である。
【図面の簡単な説明】
【図１】移乗介護支援車の構成を示す略斜視図である。
【図２】座面と被介護者との概要を示す略側面図である。
【図３】円運動により座面から移乗する概要を示す略側面図である。
【符号の説明】
１    移乗用架台
２    腕置き机
３    握り棒
４    移乗用フレーム
５    伝導用アーム
６    腹当て
７    すね当て
８    円筒形の部品
９    足置き
１０    差し込みもも当て
１１    介護取っ手
１２    介護取っ手
１３    押しガスばね
１４    押しガスばね
１５    円運動機能
１６    軸を共有する円周
１７    回転補助ローラー
１８    軸
１９    移動用台車
２０    軸受け
２１    移動用フレーム
２２    停止用安全ストップアーム
２３    軸受け
２４    大径自在キャスター
２５    小径自在キャスター
２６    軸受け
２７    停止解除レバー
２８    停止解除レバー
２９    被介護者
【図１】
2005211628.tif 000003
【図２】
2005211628.tif 000004
【図３】
2005211628.tif 000005
(57)【要約】【課題】  ロ−ルペ−パ−に、直接刃を押しつけて切るので、両手を使用しないと困難であり、切つた後、取り出し先がくつつき、取り出しにくかつたものを、片手不自由な人でも、使用しやすくしたものである。【解決手段】  ロ−ルペ−パ−１の下にＵ形ガイド板２を設け、その奥に切断部を付けることにより紙１を、引きだしやすくしてある。  刃３の両側には、ガ−ド板４でカバ−しているので、手が触れることなく安全である。  押しカバ−６を押せば、裏側に付いている２個所のゴム７とガ−ド板４とで、紙１をはさんで、刃１に押し当てて切れる。  押しカバ−を戻すと、紙１が落ちてしまうので、刃１の一部分を無くするか、又はロ−ルペ−パ−１を、左右どちらかにずらし、刃３からはみ出させて、切らない一部分を作る。【選択図】  図２
2005211627.tif 000002
【特許請求の範囲】
【請求項１】
紙１が垂れ下がる途中にガイド板２を設け、その下奥に刃３の両側に２枚のスライドするガイド板４をを取りつけ、スプリング５で刃３が隠れるまでカバ−する、押しカバ−６には２ケ所に分けたゴム７又はゴム状の物を取りつけ、ガイド板４とで紙１、をはさんで刃３に押し当てて切る、ロ−ルペ−パ−の、切断器。
【請求項２】
刃３には、ほんの一部分刃の無い個所を設けるか、又はロ−ルペ−パ−を左右どちらかにずらして、紙に一部分切らない所を、残して紙をたれ下げさせる事を、目的としたロ−ルペ−パ−の、切断器。
【発明の詳細な説明】
【発明の詳細な説明】
【技術分野】
【０００１】  本発明は、ロ−ルペ−パ−１を巻戻し、下えたれ下げる途中に、Ｕ形に曲がつたガイド板２を設け、その下奥に、切断部を設けることにより、切つた後曲がつた分よけいに、紙１がたれ下がるので、次の紙１を引き出しやすくしてある、刃３には前後にスライドするガ−ド板４を両側にを設け、スプリング５により刃３が、隠れるまで押し出しているので、手が刃に触れることがなく安全である、それを押しカバ−６を押すと、付いている２個のゴム７が、ガ−ド板４とで紙１をはさんで刃３に移動押し当てて切るものである、押しカバ−６、を戻すと紙１が落下してしまうので、刃３の一部分を無くするか、又はロ−ルペ−パ−１を左右どちらかにずらし、刃３からはみ出させ、切れない一部分で、落ちないように保持するものである。
【背景技術】
【０００２】  従来は、ロ−ルペ−パ−に、刃を直接当てて切るので、両手を使用しないと、切りにくく、切つた後に取り出し先がくつつき、取り出しにくい欠点がある。
【発明の実地の形態】
【０００３】  本発明は、紙１を下から引き出し、押しボタン９を押せば、紙１が切れるが、一部分の、切れない個所を設けることにより、紙１を保持し、たれ下げるようにしたものである。
【発明の効果】
【０００４】  紙１は、切断部分より下に出ているので、引き出しやすく、刃３はガ−ド板４によりカバ−されているので、手が触れることがなく安全である、押しボタン９を押せば切ることができ、切つた後紙がたれ下がつているので、取りやすい。
【図面の簡単な説明】
【図１】  ロ−ルペ−パ−切断器の、使用前の、側断面図である。
【図２】  ロ−ルペ−パ−切断器の、切断した時の側断面図である。
【図３】  ロ−ルペ−パ−切断部の、斜視図である。
【符号の説明】
１  ロ−ルペ−パ−          ２  ガイド板
３  刃                      ４  ガ−ド板
５  スプリング              ６  押しカバ−
７  ゴム                    ８  ゴム固定具
９  押しボタン            １０  戻しバネ
１１  ケ−ス                １２  支持具
１３  ガ−ド、バネ板
【図１】
2005211627.tif 000003
【図２】
2005211627.tif 000004
【図３】
2005211627.tif 000005
(57)【要約】【課題】      パチンコ遊戯装置の人為的作用を少なくする。【解決手段】  当選穴にパチンコ球が入ると、１〜複数個パチンコ球が上部や当り球出し口から落ちてくるようにする。【選択図】      図２
2005211629.tif 000002
【特許請求の範囲】
【請求項１】
当選穴にパチンコ球が入ると、１〜複数個パチンコ球が上部や当り球出し口から落ちてくるようにしたパチンコ機。
【請求項２】
はずれ球も生かされる装置を設置し、はずれ球もある確率で生かされ上部や当り球出し口から落ちてくるパチンコ機。
【発明の詳細な説明】
【技術分野】
【０００１】  本発明は、パチンコ機や遊技機に関する。
【背景技術】
【０００２】  従来は当選穴にパチンコ球が入ると、ある個数のパチンコ球が出たり、羽物が動いたり、回転ドラムが回り同じ絵柄が揃うと当選口が開きそこに遊戯者が打った球を入れることにより大量の球を確保することができている。【０００３】  また、遊技者の興味をそそるために映像・音楽などを駆使している。【０００４】  しかし、どれも業者の設定による出球システムがあり、人為的作用の少ない方法や遊技者の思惑や好みはあまり発揮できない。
【発明の開示】
【発明が解決しようとする課題】
【０００５】  解決しようとする問題点は人為的作用を少なくし、遊技者の好みや考えタイミングを最大限発揮させて、自分の考えや技量で商品獲得をめざす。
【課題を解決するための手段】
【０００６】  ある当選穴にパチンコ球が入ると、１〜複数個パチンコ球が上部や当り球出し口から落ちてくるようにする。【０００７】  また、この当選穴に入ったら落ちてくる球数は決まっていてもよく、回転ドラムで決めてもよい。【０００８】  さらに、はずれ球も生かされる装置を設置し、はずれ球もある確率で生かされ上部や当り球出し口から落ちてくるようにする。
【発明の効果】
【０００９】  本発明は１〜数個の球が自然の作用で落ち、パチンコ機の人為的作用を少なくかつ、遊技者の好みや考えタイミングを最大限発揮させて、自分の考えや技量が発揮できる。
【実施例１】
【００１０】  図２のごとく中央の当選穴３に入った当たり球の処置をドラムｏｒ球選定装置９で選定し、回転ドラム５で従来の絵柄をそろえるか、落とされる球の個数かが装置あるいは遊戯者が決める。【００１１】  落とされる球の個数に決まるとその数のパチンコ球１が上部や当り球出し口から落ちてくるようになる。【００１２】  回転ドラム５が回転し、図柄がそろわない場合にははずれとなり、そろった場合にその図柄によって設定されたパチンコ球数や回数を選ぶか、従来のような当選口８を開きパチンコ球が獲得できるかも遊技者選定ボタン７で選定できるようにする。【００１３】  この遊技者選定ボタン７はパチンコ台側が設定できるようにしてもよい。【００１４】  これにより、自然なパチンコ球の流れや予期できない球同士のぶつかり合いもあり、興味が高まる。
【産業上の利用可能性】
【００１５】  １〜複数個パチンコ球が上部や当り球出し口から落ちてくるためと、遊技者の技量が発揮できて不正や人為的調整も少なくなり健全性が高まる。
【図面の簡単な説明】
【００１６】
【図１】  パチンコ球が上部や当り球出し口から落ちてくるパチンコ機の概略正面図である。
【図２】  パチンコ球が上部や当り球出し口から落ちてくるパチンコ機の概略説明図である。
【符号の説明】
【００１７】      １    上部や当り球出し口から落ちてくるパチンコ球
２    遊技者が打ち出したパチンコ球
３    当選穴
４    パチンコ釘
５    回転ドラム
６    パチンコ盤面
７    遊技者選定ボタン
８    当選口
９    ドラムｏｒ球選定装置
１０  はずれた球をおまけとして生かす装置
１１  はずれ口
【図１】
2005211629.tif 000003
【図２】
2005211629.tif 000004
(57)【要約】【課題】高低、硬軟、幅を容易にかえられる枕。【解決手段】枕本体１の前後部の片面又は両面を２重に分割し内側と外側両面にファスナー８ａ，８ｂを設け、枕本体１の左右に副袋２を一体に形成、内部にクッション材７を封入、枕本体と副袋の間の外周にガイド３を設け、これに紐４を通しストッパー５を取り付け、紐４の両端はストッパー５の抜け防止のため結び６を設け構成した。【選択図】      図１
2005211625.tif 000002
【特許請求の範囲】
【請求項１】
枕本体の一部に、１つ又は複数個の副袋を設け、枕本体と副袋の間に開閉自在なストッパーを具備し、枕内部に封入された、蕎麦がら、又はビーズ等のクッション材が枕本体と副袋の間を自由に相互移動させることにより、枕の高低、及び硬軟を容易に可変できるよう、構成されたことを特徴とする枕。
【請求項２】
枕の前後部の片面、或いは両面を２重に分割し、内側と外側の両面にファスナーを設け、枕本体に封入されたクッション材が、２重に分割した部位と枕本体との間を自由に移動でき、枕の前後の幅を容易に可変できるよう、構成されたことを特徴とする請求項１記載の枕。
【発明の詳細な説明】
【発明の詳細な説明】
【技術分野】
【０００１】本発明は、安眠を追及した枕に関するものである。
【背景技術】
【０００２】枕は蕎麦がらを封入した過去より有るシンプルなものを初めとして昨今では快眠を追及した形状、枕を構成する内部の素材を吟味したもの等ありそれなり効果は上げている。
【発明が解決しようとする課題】
【０００３】しかし人それぞれの体形、寝るときの姿勢、体調等によっては使用している枕がベストでない場合も有り、枕の選定は大変難しい。枕選びの基本はよく形、高さ、大きさ、枕を構成する内部の素材、変形に対する耐久性等が上げられるがこれらがすべてとは言えない。例えばその時の体調によっては枕の高さの変化がほしかったり、これに併せて硬さ又は柔らかさの調整がほしかったりする場合が考えられる。
【課題を解決する手段】
【０００４】本発明は、枕本体に、１つ又は複数個の副袋を設け、枕本体と副袋の間に開閉自在なストッパーを具備し、枕内部に封入された、蕎麦がら、又はビーズ等のクッション材が枕本体と副袋の間を自由に相互移動させることにより、枕の高低、及び硬軟を容易に可変できるようにすると共に、枕の前後部の片面、或いは両面を２重に分割し、内側と外側の両面にファスナーを設け、枕本体に封入された、前記クッション材が２重に分割した部位と枕本体との間を自由に移動でき、枕の前後の幅を容易に可変できる。したがって仰向け、左右横向き、うつ伏せ等の寝方に十分に対応できると共に、体形、又時々の体調に合わせ前記した枕の高低、及び硬軟が容易に選択できるように構成している。
【発明の実施と形態】
【０００５】本発明の構成を図１〜図５によって説明する。
枕本体１の前後部の片面又は両面を２重に分割しその内側と外側の両面にファスナー８ａ，８ｂを設け、又枕本体１の左右には副袋２が一体に形成され、内部には蕎麦がら、又はビーズ等のクッション材７が封入され、前記枕本体１及び副袋２の間の外周には、紐４を通すガイド３を数箇所設け、このガイド３に紐４を通し開閉自在なストッパー５を具備し紐４の両端はストッパー５の抜け防止のため結び６設け構成している。
【実施例】
【０００６】本発明の実施例を図１〜図７によって説明する。
ストッパー５を緩め副袋２内部のクッション材７、又は枕本体１のクッション材７を適量自由に相互移動させることにより、枕本体１の高低、及び硬軟が選択できる。又枕本体１の前後の幅を変える場合は、２重に分割された外側及び内側に設けたファスナーを開閉しクッション材７を自由に移動させることにより可変できる。
【発明の効果】
【０００７】本発明は以上説明したような形態で実施され、以下に記載されるような効果を奏する。
【０００８】人それぞれの体形、又は寝方（例えば仰向け、横向き、うつ伏せ等）に合わせた高低、及び硬軟が容易に選択できる。
【０００９】日々変化する体調に合わせた枕の形態が容易に選択できる。
【図面の簡単な説明】
【図１】本発明の枕を示す平面図である。
【図２】本発明の枕を示す正面部分断面図である。
【図３】本発明の枕の実施例を示す平面図である。
【図４】本発明の枕の実施例を示す正面部分断面図である。
【図５】本発明の枕の実施例を示す平面部分断面図である。
【図６】本発明の枕の実施例を示す枕中心部側面断面図である。
【図７】本発明の枕の実施例を示す枕中心部側面断面図である。
【符号の説明】
１：枕本体
２：副袋
３：ガイド
４：紐
５：ストッパー
６：結び
７：クッション材
８ａ：外側のファスナー
８ｂ：内側のファスナー
【図１】
2005211625.tif 000003
【図２】
2005211625.tif 000004
【図３】
2005211625.tif 000005
【図４】
2005211625.tif 000006
【図５】
2005211625.tif 000007
【図６】
2005211625.tif 000008
【図７】
2005211625.tif 000009
(57)【要約】      （修正有）【課題】スキマーと呼ばれる磁気カードに非接触で磁気情報を読める装置によって財布の中のキャッシュカードなどの磁気カードの情報を盗まれてしまうことを防止する能力を持つ財布を提供すること。【解決手段】収納する磁気カードの周囲を覆う素材を防磁素材とする。このことで磁気カードの磁気情報は外部に出なくなり情報が保護される。【選択図】なし【特許請求の範囲】
【請求項１】
磁気カードが挿入できるスペースを有し、この挿入された磁気カードの少なくとも両面を防磁素材で覆うように形成することを特徴として作られた、スキマーを使用した犯罪から磁気カードの情報を守るための財布。
【発明の詳細な説明】
【技術分野】
【０００１】  この発明は、磁気カードが挿入できるスペースを有し、この挿入された磁気カードの少なくとも両面を防磁素材で覆うように形成することを特徴とする財布に関する。
【背景技術】
【０００２】  従来の財布には磁気カード情報の漏洩を遮断する能力は持たされていない。
【発明の開示】
【発明が解決しようとする課題】
【０００３】  しかしながら磁気カードに非接触で磁気情報を読めるスキマーと呼ばれる装置があり、その装置を使って財布の中に収納された状態の磁気カードから情報を盗むことが可能であり、そのような犯罪から磁気カードの情報を守る必要がある。
そこで、この発明は、防磁素材によって磁気カードの磁気情報を完全な形では外部に漏らさない財布を提供することを課題とする。
【課題を解決するための手段】
【０００４】  以上の課題を解決するために、磁気カードが挿入できるスペースを有し、この挿入された磁気カードの少なくとも両面を防磁素材で覆うように形成することを特徴として作られた、スキマーを使用した犯罪から磁気カードの情報を守るための財布。
【発明の効果】
【０００５】  発明によれば、財布に収められた磁気カードに対して、カードに非接触で磁気情報を読める装置を動作させても、防磁素材によって磁気情報が遮断されるため完全な情報を取得できない。
また、隙間から得ることの出来る不完全な情報ではＡＴＭなどの磁気情報を判別する機械で使用する事ができない。
【発明を実施するための最良の形態】
【０００６】  この発明の一実施形態を、図１に示す。
財布の外装は防磁素材で出来ている。
使用する防磁素材は、ニッケル、銅、アルミまたはそれらの合金の金属シートや繊維に前記の金属をコーティングした防磁布である。【０００７】「実施形態の効果」
この実施形態によれば、財布を閉じた状態では磁気カードがＵ字型に防磁素材で覆われるため、ごく一部の狭い範囲にしか磁気情報がもれることは無い。【０００８】「その他の実施形態」
図２のように天然皮、合成皮、布など従来の財布の外装として利用されている素材の内側に防磁素材を挟み込むことで外観を損なわずに効果をもたせることも出来る。
【図面の簡単な説明】
【０００９】
【図１】この発明の一実施形態を示す斜視図である。
【図２】この発明のその他の実施形態を示す断面図である。
【符号の説明】
【００１０】    １  財布                              ２  硬貨収納部
３  紙幣収納部                        ４  カード収納部
５  防磁素材を使用した外装            ６  谷折りの二つ折り線
７  天然皮                            ８  防磁素材
【図１】
2005211634.tif 000002
【図２】
2005211634.tif 000003
(57)【要約】【課題】形状を細長くすることで、洗濯時に揉まれやすく、汚れを落ちやすくした洗濯ネットを提供する。【解決手段】洗濯ネットの寸法を、縦はズボンのスソの長さ、横はズボンの幅よりやや狭めた長方形にする。洗濯物を入れやすくするため、ファスナーを縦に付ける。【選択図】図１
2005211640.tif 000002
【特許請求の範囲】
【請求項１】
形状を細長くすることで、洗濯時に揉まれやすく、汚れを落ちやすくした洗濯ネット。
【発明の詳細な説明】
【発明の詳細な説明】
【技術分野】
【０００１】本発明は、形状を細長くすることで、洗濯時に揉まれやすく、汚れを落ちやすくした洗濯ネットである。
【背景技術】
【０００２】従来の洗濯ネットは、正方形に近い形状のため、大きな洗濯物を入れると中で洗濯物が団子状になり、洗濯機の攪拌でも揉み洗いの効果が出なくなり、洗い残しが起きた。
【課題を解決するための手段】
【０００３】洗濯ネットの寸法を、縦はズボンのスソの長さ、横はズボンの幅よりやや狭めた長方形にする。洗濯物を入れやすくするため、ファスナーを縦に付ける。
【発明の効果】
【０００４】洗濯物がネット内で団子状にならずに固定されるため、洗濯機の攪拌がそのまま洗濯物に広範囲に伝わり、揉み洗いされやすくなる。
【図面の簡単な説明】
【図１】本発明の正面図である。
【符号の説明】
１  洗濯ネット本体
２  ファスナー
３  洗濯物の大きさ（ズボン）
【図１】
2005211640.tif 000003
(57)【要約】【課題】数珠玉を用いた携帯用仏具を提供する。【解決手段】数珠玉を直列に配して固定し、数珠玉の中心軸にペン軸を設け、先端に先端固定具を設けたことを特徴とする携帯用仏具である。【選択図】図１
2005211636.tif 000002
【特許請求の範囲】
【請求項１】
数珠玉を用いた仏具であり、数珠玉を直列に配して固定し、数珠玉の中心軸にペン軸を設けた構造を特徴とする携帯用仏具。
【発明の詳細な説明】
【技術分野】
【０００１】  本発明は数珠玉を用いた携帯用仏具に関するものである。
【背景技術】
【０００２】  従来、数珠は数珠玉を紐で環状に繋いだ二次元的構造を有し、これを使用するときは両手で数珠玉を挟み込み神仏に祈願していた。
【発明の開示】
【発明が解決しようとする課題】
【０００３】  これは次のような問題があった。
（イ）二次元的環状構造は面積を広く占有するため携帯に不便だった。
（ロ）紐で繋がれた数珠は自由に回転し或いは動くため、数珠玉を両手で挟んだ時に発生する摩擦と、摩擦により掌に伝わる刺激が少なく、祈願の際数珠に意識を集中することが困難だった。
（ハ）文字に対して祈りを込める際は、数珠玉と筆記具の両方を用意する必要があり煩わしかった。
本発明は、これらの問題点を解決するためになされたものである。
【課題を解決するための手段】
【０００４】  数珠玉を直列に配して固定する。数珠玉の中心軸にペン軸を設ける。先端に先端固定具を設ける。以上を特徴とする携帯用仏具である。
【発明の効果】
【０００５】  本携帯用仏具は数珠玉を直列に配した一次元的構造を有しているため、従来の二次元的構造を有する数珠と比較すると占有面積が少なく、ポケット或いは筆箱等に入れて容易に携帯することが可能である。また、それぞれの数珠玉が固定されていることにより両手で挟んだ際に摩擦が発生し、掌に適度な刺激が伝わるため、祈願の際数珠に意識を集中することができる。更に中心軸にペン軸が設けてあり、筆記具としての使用が可能であるため、文字に祈りを込めることができ、従来の様に数珠と筆記具を両方用意する煩わしさが無くなった。
【発明を実施するための最良の形態】
【０００６】  以下、本発明の実施の形態を説明する。
（イ）数珠玉（１）を直列に配してそれぞれを接着する。
（ロ）数珠玉（１）の中心軸にペン軸（２）を設ける。
（ハ）先端に先端固定具（３）を設ける。
以上のような構成で、これを使用する際は両手で本携帯用仏具（５）を挟み込み神仏に祈願するか若しくは、片手で本携帯用仏具（５）を持ち、筆記しながら神仏に祈願する。
【図面の簡単な説明】
【０００７】
【図１】  本発明の斜視図
【図２】  本発明の断面図
【図３】  本発明の使用状態を示す斜視図
【符号の説明】
【０００８】１  数珠玉
２  ペン軸
３  先端固定具
４  ペン先
５  携帯用仏具
６  手
【図１】
2005211636.tif 000003
【図２】
2005211636.tif 000004
【図３】
2005211636.tif 000005